(57)【特許請求の範囲】
【請求項１】
自立性のない合成樹脂製のフィルム、シート類を、フィルム、シート類にシワや弛みが発生しないように四角形の枠体に展張支持するための治具であって、フィルム、シート類を、少なくとも対向する２辺にて固定して、張りながら支持する第一の枠体と、フィルム、シート類を介して第一の枠体に被せて固定した第二の枠体とを備えたもので、第二の枠体は、第一の枠体の外側の側面を覆う側面部と第一の枠体の前面をフィルム、シート類を介して覆う前面部を有し、第一の枠体に張られたフィルム、シート類を第一の枠体に囲まれた内側の領域において押しながらフィルム全体を展張する弾力性を持つ展張部を前面部の内側の面に固定して設けており、且つ、フィルム、シート類の伸縮に対応して第二の枠体の４辺が微動して、フィルム、シート類を展張する展張力を調節するように、第二の枠体の四隅の前面部に、枠の内側から外に向かう切れ込みを設けていることを特徴とするフィルム、シート類の展張支持治具。
【請求項２】
請求項１において、その一面の周辺を第二の枠体の前面部の内側の面で固定され、その側面を展張部で固定された自立性のある板（前板）を設けており、且つ、展張部の、第一の枠体の前面に垂直な断面は、１辺を第二の枠体に固定され、他の１辺を自立性のある板の側面に接する扇状をしており、その円弧の径が自立性のある板の厚さより大きいことを特徴としたフィルム、シート類の展張支持治具。
【請求項３】
請求項１ないし２における第二の枠体が外装枠としての外観を持つものであることを特徴とするフィルム、シート類の展張支持治具。
【請求項４】
請求項１ないし３において、第一の枠体の１組みの対向する２辺にてフィルム、シート類を展張支持していることを特徴とするフィルム、シート類の展張支持治具。
【請求項５】
請求項１ないし４における、第一の枠体へのフィルム、シート類の支持は、ヒートシール法ないし超音波融着法により固定したものであることを特徴とするフィルム、シート類の展張支持治具。
【請求項６】
請求項１ないし５記載のフィルム、シート類がプロジェクションスクリーン用のフィルムないしシートであることを特徴とするフィルム、シート類の展張支持治具。
【発明の詳細な説明】
【０００１】
【発明が属する技術分野】
本発明は，自立性のないフィルム、シート類を自立性のあるレンズシートに沿わせて枠体に展張支持する治具に関し、特に、テレビジョン等のプロジェクションスクリーン用のフィルムないしシートを展張支持する治具に関する。
【０００２】
【従来の技術】
テレビジョン等のプロジェクションスクリーン用のフレネルレンズにおいては、従来は、同心円状にレンズを形成したサーキュラーフレネルレンズが主体で、自立性のある比較的厚いシートを用い、熱プレスによる成形やシート上に紫外線硬化型樹脂を用いてレンズ形状を設けることにより生産されていた。
近年は、レンズの光学的損失などによる画質の低下を少なくするためと生産性向上のための連続生産の要望から、薄いフィルム上にレンズを形成して薄板化したレンズシートが製作されるようになってきた。
例えば、レンズを直線状に平行に並列して形成したリニアフレネルレンズは、形状が直線状になっているため、その作製には、グラビア印刷機を応用した機械により、連続した薄いフィルム上に紫外線硬化性の樹脂を所定の形状に転写して、紫外線により硬化させて、リニアフレネルレンズを形成する紫外線硬化法等の方法が採られていた。
このようにして作製される薄くて自立性に乏しいフィルムレンズをプロジェクションスクリーンとして使用する際の展張支持方法としては、剛性のある板、例えばレンチキュラーレンズシートに抱き合わせる第一の方法、フィルム自体を枠体やキャビネット等の支持物に支持しながら張る第二の方法が知られているが、シワ、弛みの発生確率を考慮した生産性の面や一層の薄板化という面からは第二の方法の方が優れている。
しかし、フィルム自体を枠体やキャビネット等の支持物に支持しながら張る第二の方法の場合、確実な固定は難しく、また、フィルムに対してシワを発生させずに、テンション（張力）を掛け続けることは難しく、固定にもかなりコツが必要であった。即ち、この第二の方法おいては、レンズフィルムに常にテンション（張力）を掛け続け、且つ、レンズフィルム全体をシワや弛みが発生しないように、簡単に保持できるようにすることが求められていた。
【０００３】
【発明が解決しようとする課題】
上記のように、プロジェクションスクリーン用に連続生産される自立性のない薄いリニアフレネルレンズフィルムに対しては、フィルム自体を枠体やキャビネット等の支持体に支持しながら張る展張の際に、確実な固定ができて、フィルムに対してシワや弛みを発生させずに、テンション（張力）をかけ続けることができ、且つ、固定にコツを必要としない簡単な、展張支持治具が求められていた。本発明は、このような状況のもと、プロジェクションスクリーン用のフィルム、シート類に対し、比較的簡単な構造で、且つ、フィルム、シート類に対してシワや弛みを発生させずに、確実な固定ができて、テンション（張力）を掛け続けることができる展張支持治具を提供しようとするものである。
【０００４】
【課題を解決するための手段】
本発明のフィルム、シート類の展張支持治具は、自立性のない合成樹脂製のフィルム、シート類を、フィルム、シート類にシワや弛みが発生しないように四角形の枠体に展張支持するための治具であって、フィルム、シート類を、少なくとも対向する２辺にて固定して、張りながら支持する第一の枠体と、フィルム、シート類を介して第一の枠体に被せて固定した第二の枠体とを備えたもので、第二の枠体は、第一の枠体の外側の側面を覆う側面部と第一の枠体の前面をフィルム、シート類を介して覆う前面部を有し、第一の枠体に張られたフィルム、シート類を第一の枠体に囲まれた内側の領域において押しながらフィルム全体を展張する弾力性を持つ展張部を前面部の内側の面に設けており、且つ、フィルム、シート類の伸縮に対応して第二の枠体の４辺が微動して、フィルム、シート類を展張する展張力を調節するように、第二の枠体の四隅の前面部に、枠の内側から外に向かう切れ込みを設けていることを特徴とするものである。
そして、上記において、その一面の周辺を第二の枠体の前面部の内側の面で固定され、その側面を展張部で固定された自立性のある板（前板）を設けており、且つ、展張部の、第一の枠体の前面に垂直な断面は、１辺を第二の枠体に固定され、他の１辺を自立性のある板の側面に接する扇状をしており、その円弧の径が自立性のある板の厚さより大きいことを特徴としたものである。
そしてまた、上記における第二の枠体が外装枠としての外観を持つものであることを特徴とするものである。
また、上記における、第一の枠体へのフィルム、シート類の支持は、ヒートシール法ないし超音波融着法により固定したものであることを特徴とするものである。
そして、上記のフィルム、シート類がプロジェクションスクリーン用のフィルムないしシートであることを特徴とするものである。
尚、ここでは、プロジェクションスクリーン用のフィルムないしシートとは、その面にレンズを形成してあるものと、していないものの両方を含む。
【０００５】
【作用】
本発明のフィルム、シート類の展張支持治具は、上記のように構成することにより、フィルム、シート類に対し、比較的簡単な構造で、且つ、フィルム、シート類に対してシワや弛みを発生させずに、確実な固定ができて、テンション（張力）を掛け続けることができる展張部材の提供を可能にしている。
詳しくは、フィルム、シート類を、少なくとも対向する２辺にて固定して、張りながら支持する第一の枠体と、フィルム、シート類を介して第一の枠体に被せて固定した第二の枠体とを備えたもので、第二の枠体は、第一の枠体の外側の側面を覆う側面部と第一の枠体の前面をフィルム、シート類を介して覆う前面部を有し、第一の枠体に張られたフィルム、シート類を第一の枠体に囲まれた内側の領域において押しながらフィルム全体を展張する弾力性を持つ展張部を前面部の内側の面に設けており、且つ、フィルム、シート類の伸縮に対応して第二の枠体の４辺が微動して、フィルム、シート類を展張する展張力を調節するように、第二の枠体の四隅の前面部に、枠の内側から外に向かう切れ込みを設けていることによりこれを達成している。
即ち、第二の枠体を第一の枠体に被せる際、第一の枠体に張られたフィルム、シートに対し、展張部を押しつけることにより、フィルム、シート全体が展張され、第二の枠体の四隅の前面部に、枠の内側から外に向かう切れ込みを設け、フィルム、シートの展張力の変化に対応して、枠の４辺が微動できるようにしていることにより、湿度変化等によるフィルム、シート類の伸縮に対応し、ほぼ一定力（展張力）で展張できるものとしている。
尚、フィルム、シート類が展張部に押されながらすべり、フィルム、シート類のほぼ全領域がこれにより展張されることが好ましく、展張部の展張方向の断面形状については、フィルム、シート類と接する、側が円弧状であることが好ましい。
そしてまた、第一の枠体へのフィルム、シート類の支持は、ヒートシール法ないし超音波融着法により固定したものであることにより、フィルム、シート類の枠体への貼り付けを簡単なものとしている。
この他に固定方法として、構造用両面テープを用いることもあり、固定方法としてはこれに限定されることはない。
特に、フィルム、シート類がプロジェクションスクリーン用のフィルムないしシートである場合、有効である。
尚、外枠に外装枠の機能を兼ね備えて持たすことにより、全体を簡単な構造とできる。更に、枠体を四角形とし、１組みの対向する２辺の側のみで、フィルム、シート類を展張支持することににより、全体を簡単な構造とできる。
【０００６】
【実施例】
本発明のフィルム、シート類の展張支持治具の実施例を図にもとづいて説明する。
先ず、本発明のフィルム、シート類の展張支持治具の実施例１を挙げる。
図１（ａ）は本実施例のフィルム、シート類の展張支持治具を用いて展張支持を完了した後の状態を示した平面図であり、図１（ｂ）は正面図であり、図１（ｃ）は、図１（ａ）のＡ１−Ａ２における断面図である。また、図２（ａ）、図２（ｂ）は、それぞれ、フィルム１１０を展張支持する前の、即ち第二の枠体１３０を第一の枠体１２０に被せ固定する前の、第二の枠体１３０、および第一の枠体１２０とフィルム１１０を示した図である。
図２（ａ）、図２（ｂ）（ロ）は、図１（ａ）のＡ１−Ａ２に相当する位置での断面図であり、図２（ｂ）（イ）は、図２（ｂ）（ロ）のＢ１−Ｂ２における断面を示した図である。
図１、図２中、１００は展張支持治具、１１０はフィルム、１２０は第一の枠体、１３０は第二の枠体、１３１は側面部、１３２は前面部、１３７は切り欠き部、１４０は展張部、１４５はＲ状部（曲面部）、１６０はヒートシール部である。
【０００７】
本実施例のフィルムの展張支持治具１００は、自立性のない合成樹脂製のフィルム（フィルムレンズ）１１０をシワや弛みが発生しないように展張支持する、プロジェクションスクリーン用の展張支持治具であり、図１に示すように、フィルム１１０を介して第一の枠体１２０に第二の枠体１３０を被せた状態で展張支持されている。
第一の枠体１２０は図２（ｂ）に示すように、四角形の枠体でフィルム１１０を張る側の面（前面）は一つの平坦面を形成しており、第二の枠体１３０は、第一の枠体１２０の外側の側面を覆う側面部１３１と第一の枠体１２０の前面をフィルム、シート類を介して覆う前面部１３２を有し、第一の枠体１２０に張られたフィルム１１０を第一の枠体の内側の領域において押しながらフィルム１１０全体を展張する弾力性を持つ展張部１４０を設けている。
そして、図１（ｂ）に示すように、フィルム１１０の展張する方向の対向する両端を第一の枠体１２０の対向する２辺にヒートシールにて貼り付けて張った状態で、第二の枠体１３０を第一の枠体１２０に次第に近づけ、展張部１４０のＲ状部（曲面部）１４５にてフィルム１１０を押しつけながらフィルム１１０全体を展張して、第二の枠体１３０を第一の枠体１２０に固定する。
また、第二の枠体１３０の四隅の前面部１３２には、枠体の内側から外に向かうように切り欠き部１３７を設けており、これにより、第二の枠体１３０の四辺は微動できるようになっており、図１に示すように、フィルム１１０が展張支持された状態で、温度等の変化によりフィルム１１０が伸縮しても、ほぼ一定の展張力によりフィルム１１０を展張できるものとしている。
【０００８】
第二の枠体１３０の材質としては、一般のアルリルを用いた。材質としては、特にこれに限定はされないが、切り欠き部１３７を枠の四隅に設けた際に、枠体の四辺がフィルム１１０の展張力に対応して微動できる材質であることが必要である。
他には硬質ポリ塩化ビニル等が挙られる。
第一の枠体１２０の材質としては、鉄を用いたが、特にこれに限定はされず、他にはアルミなどの金属類や補強の入った樹脂等が挙げられる。
第二の枠体１３０に固定された展張部１４０の材質としては硬質ゴムを用いたが、弾力性があり、Ｒ状部（曲面部）１４５にてフィルム１１０がすべることが必要である。
フィルム１１０はその一面にフレネルレンズを設けたものである。
【０００９】
本実施例の展張支持治具１００の、フィルムを展張および支持する動作について、図３を用いて、以下簡単に説明しておく。
尚、説明を分かりや易くするため、図３は図１（ａ）に示すＡ１−Ａ２に相当する位置おける断面を簡略して示した断面図である。
先ず、第一の枠体１２０の前面の四辺にフィルム１１０の端をヒートシールにて固定して張った後、フィルム１１０を張った第一の枠体１２０と、第二の枠体１３０とを用意し、フィルム１１０を間に介して両枠体を位置に合わせして次第に近づける。（図３（ａ））
両枠体を近づけると、まず展張部１４０のＲ状部（曲面部）１４５がフィルム１１０を押すようになり、フィルム１１０を延ばすが、フィルム１１０はＲ状部（曲面部）１４５をすべるためフィルム１１０全体をほぼ均等に延ばす。（図３（ｂ））
このようにして、フィルム１１０全体の展張が行われる。
更に両枠体を接近させ、第二の枠体１３０の前面部が、フィルム１１０を介して第一の枠体１２０と密着するようになった時点で、両枠体を固定する。（図３（ｃ））
尚この、固定は、接着剤を第二の枠体１３０の側面部と第一の枠体１２０側の側面部との間に設けて行った。
【００１０】
次に、本発明のフィルム、シート類の展張支持治具の実施例２を挙げる。
図４（ａ）は本実施例のフィルム、シート類の展張支持治具を用いて展張支持を完了した後の状態を示した平面図であり、図４（ｂ）は正面図で、図４（ｃ）は図４（ａ）のＣ１−Ｃ２におけるの断面図である。また、図５（ａ）、図５（ｂ）は、それぞれ、フィルム２１０を展張支持する前の、即ち第二の枠体２３０を第一の枠体２２０に被せる前の、第二の枠体２３０と自立性のある板（前板）２５０、および  第一の枠体２２０とフィルム２１０の組みを示した図である。
尚、図５（ａ）、図５（ｂ）（ロ）は、図４（ａ）のＣ１−Ｃ２に相当する位置での断面図であり、図５（ｂ）（イ）は、図５（ｂ）（ロ）のＤ１−Ｄ２における断面を示した図である。
図４、図５中、２００は展張支持治具、２１０はフィルム、２２０は第一の枠体、２３０は第二の枠体、２３１は側面部、２３２は前面部、２３５は接着部、２３７は切り欠き部、２４０は展張部、２５０は自立性のある板、２６０はヒートシール部である。
【００１１】
本実施例のフィルムの展張支持治具２００は、実施例１と同様、自立性のない合成樹脂製のフィルム（フィルムレンズ）２１０をシワや弛みが発生しないように展張支持する、プロジェクションスクリーン用の展張支持治具であり、図４に示すように、フィルム２１０を介して第一の枠体２２０に第二の枠体２３０を被せた状態で展張支持されている。
図５（ｂ）（ロ）に示すように、フィルム２１０の展張する方向の対向する両端を第一の枠体２２０の対向する２辺にヒートシールにて貼り付けて張った状態で、図５（ａ）に示す自立性のある板（前板）２５０を接着部２３５および展張部２４０にて固定した第二の枠体２３０を第一の枠体２２０に次第に近づけ、展張部２４０のＲ状部（曲面部）２４５にてフィルム２１０を押しつけながらフィル２１０全体を展張して、第二の枠体２３０を第一の枠体２２０に固定するものである。基本的な展張支持は実施例１の場合と同じである。
【００１２】
自立性のある板（前板）２５０は、その一面の周辺を第二の枠体の前面部の内側の面で固定され、その側面を展張部２４０で固定されており、展張部２４０の、第一の枠体２２０の前面に垂直な断面は、１辺を第二の枠体２３０に固定され、他の１辺を自立性のある板（前板）２５０の側面に接する扇状をしており、その円弧の径は自立性のある板の厚さより大きい。
そして、実施例１と同様に、第二の枠体２３０の四隅には、枠体の内側から外に向かうように切り欠き部２３７を設けており、これにより、第二の枠体２３０の四辺は微動できるようになっており、図４に示すように、フィルム２１０が展張支持された状態で、温度等の変化によりフィルム２１０が伸縮しても、ほぼ一定の展張力によりフィルム２１０を展張できるものとしている。
また、実施例１と同様、第二の枠体２３０の第一の枠体２２０への固定は、互いに接する側面部を接着剤で固定する方法で行ったが、特にこれに限定はされない。
【００１３】
第一の枠体２２０、第二の枠体２３０、展張部２４０の材質としては、実施例１と同様のものを用いた。
自立性の板は、図４に示すように外部（前面）に露出するもので、アクリルやＭＭＡ性で表面に帯電防止処理や低反射などの各処理が施されている自立性のある物である。
フィルム１１０はその一面にフレネルレンズを設けたものである。
【００１４】
本実施例における、自立性のある板（前板）２５０の、第二の枠体２３０への固定を図６にもとづいて簡単に説明しておく。
図６は、図４のＣ１−Ｃ２に対応する位置における状態を示したものである。
図６（ａ）は自立性のある板（前板）２５０を固定する前の状態を表したもので、図６（ｃ）は固定後の状態を表した図で、図６（ｂ）は図６（ａ）と図６（ｃ）の間の状態を示した図である。
自立性のある板（前板）２５０の側面２５１を固定するとともに、第二の枠体２３０を第一の枠体２２０に被せて展張する際に展張を行う展張部２４０は、自立性のある板（前板）２５０の固定前には、図６（ａ）に示すようにその扇状の断面の辺２４１、辺２４２間の角度は９０°より大きい。
図６（ａ）の状態で、自立性のある板（前板）２５０の固定は、枠体の対向する２辺にそれぞれ設けられた展張部２４０間に嵌め込むことにより、次第に展張部２４０の断面形状が変化し、図６（ｂ）に示すように、扇状の断面辺２４１、辺２４２間の角度はほぼ９０°となる。そして、接着部２３５へ、その一面を貼付けることにより、２立性のある板（前板）２５０の固定はより行われる。
【００１５】
【効果】
本発明は、上記のように、簡単な構造で確実にフィルム、シート類の展張支持ができる、フィルム、シート類の展張支持治具の提供を可能とするものである。特に、テレビ用プロジェクションスクリーンに使用される、自立性のない薄いフィルムないしシートを展張する際に、展張支持を確実にできる簡単な治具の提供を可能にした。
【図面の簡単な説明】
【図１】実施例１のフィルム、シート類の展張治具の図
【図２】実施例１のフィルム、シート類の展張治具の展張前後の状態を説明するための断面図
【図３】フィルム、シート類を展張支持する動作を説明するための図
【図４】実施例２のフィルム、シート類の展張治具の図
【図５】実施例２のフィルム、シート類の展張治具の展張前後の状態を説明するための断面図
【図６】第二の枠体へ、自立性のある板（前板）を取りつける方法を説明するための図
【符号の説明】
１００、２００                  展張支持治具
１１０、２１０                  フィルム
１２０、２２０                  第一の枠体
１３０、２３０                  第二の枠体
１３１、２３１                  側面部
１３２、２３２                  前面部
１３７、２３７                  切り欠き部
１４０、２４０                  展張部
１４５、２４５                  Ｒ状部（曲面部）
１６０、２６０                  ヒートシール部
２３５                          接着部
２４１、２４２                  辺部
２４５                          Ｒ状部（曲面部）
２５０                          自立性のある板（前板）
【図１】
0003605479.tif 000002
【図２】
0003605479.tif 000003
【図３】
0003605479.tif 000004
【図４】
0003605479.tif 000005
【図５】
0003605479.tif 000006
【図６】
0003605479.tif 000007